(57)【要約】【課題】裏側の光に透かされることにより表側に意匠的効果を発揮するような展示物を収めて表側から鑑賞できるようにした額縁を提供する。【解決手段】展示窓を有する枠体と、該枠体の裏側に収められる光が透き通る素材を用いた展示物を前記枠体との間に押圧力の下に挟む裏板とを備え、該裏板に採光窓を設けた。【選択図】図３
0003141931.tif 000002
【実用新案登録請求の範囲】
【請求項１】
展示窓を有する枠体と、該枠体の裏側に収められる光が透き通る素材を用いた展示物を前記枠体との間に押圧力の下に挟む裏板とを備え、該裏板に採光窓を設けたことを特徴とする、展示物をその裏側の光に透かして表側から鑑賞するための額縁。
【請求項２】
前記展示物は、自立できない程度に柔らかな素材で作られ、前記裏板は該展示物を前記枠体に対して押圧することを特徴とする請求項１に記載の額縁。
【請求項３】
前記裏板の前記採光窓は、該採光窓を塞ぐ透明板又は半透明板を備えていることを特徴とする請求項１又は２に記載の額縁。
【考案の詳細な説明】
【技術分野】
【０００１】
本考案は、展示窓を有する枠体と、該枠体の裏側に収められる展示物を枠体との間に挟む裏板とを備える額縁に関する。
【背景技術】
【０００２】
上記構成の額縁は、一般的には、枠体と裏板との間に絵画、写真、書等の展示物を収め、その展示物を枠体により形成される展示窓を通して表側から鑑賞できるようにした構造である。その場合、裏板は、その展示物を裏側から押さえるための押え板として使用され、ベニヤ板、厚手のボール紙など、展示物の裏面の日焼防止のため光をとおさない板から作られている。
【０００３】
ところで、従来の額縁の中には、枠体と裏板との間に表用と裏用の２枚の展示物を収める構造の額縁がある（特許文献１）。これは、表用展示物と裏用展示物とを額縁の表裏両面から鑑賞可能にしたものである。図７は、この種の額縁の断面図である。
【０００４】
図７に示すように、表用展示物Ｄ１と裏用展示物Ｄ２との間に、発泡スチロール製の板状の台紙Ｐや厚紙など不透明の板が配置されている。不透明板は、表用展示物Ｄ１及び裏用展示物Ｄ２の両者を額縁内に収めて、表用展示物Ｄ１（又は裏用展示物Ｄ２）を表側（又は裏側）から鑑賞するとき、表用展示物Ｄ１（又は裏用展示物Ｄ２）が裏用展示物Ｄ２（又は表用展示物Ｄ１）の図柄部分と重なり二重写しとなることを防止する働きを有する。
【０００５】
なお、図７に示す額縁には、枠体１’の中央部の表面に、表用展示物Ｄ１のための第１の展示窓３’、裏板２’の中央部の裏面に、裏用展示物Ｄ２のための第２の展示窓３”が夫々形成されている。そして、第１展示窓３’及び第２展示窓３”には、夫々第１透明板４’及び第２透明板４”が設けられている。
【０００６】
しかしながら、上記構成の一般的な額縁や表裏両面を利用する額縁は、展示物が特殊な刺し子や、障子紙などの和紙に描かれた絵など、裏側の光が透き通る素材で作られているものを鑑賞する場合には、適していない。
【０００７】
ここで、本考案が意図する特殊な刺し子とは、例えば、ガーゼ地のような光が透き通る薄い布地や粗い布地に、多彩色の糸で幾何学模様等の図柄を刺繍して縫いこんだ刺し子であって、刺繍した図柄自体が裏側の光に透かされることにより表面に意匠的効果を発揮するような特殊な刺し子である。斯かる展示物は、光を通さない裏板や、台紙等の不透明板を備えた従来の額縁では、裏側の光に透かすことができず、表面に裏側からの光を利用した特殊な意匠的効果を発揮しない。
【０００８】
障子紙などの和紙に描かれた絵の場合も、裏側の光に透かされることにより表面に裏側からの光を利用した特殊な意匠的効果を発揮するような絵を鑑賞するときは、従来の額縁では、上記特殊な刺し子の場合と同様の問題がある。
【０００９】
【特許文献１】特開平１０―５７２０９号公報
【考案の開示】
【考案が解決しようとする課題】
【００１０】
そこで、本考案は、上記事情に鑑み創出したもので、裏側の光に透かされることにより表側に意匠的効果を発揮するような展示物を収めて表側から鑑賞できるようにした額縁を提供することを目的とする。
【課題を解決するための手段】
【００１１】
上記課題を解決するため、請求項１の考案は、展示窓を有する枠体と、該枠体の裏側に収められる光が透き通る素材を用いた展示物を前記枠体との間に押圧力の下に挟む裏板とを備え、該裏板に採光窓を設けたことを特徴とする。
【００１２】
請求項２の考案は、前記展示物は、自立できない程度に柔らかな素材で作られ、前記裏板は前記枠体に対して押圧することを特徴とする。
【００１３】
請求項３の考案は、前記裏板の前記採光窓は、該採光窓を塞ぐ透明板又は半透明板を備えていることを特徴とする。
【考案の効果】
【００１４】
本考案によれば、裏板に、展示物をその裏側の光に透かして表側から鑑賞するための採光窓を設けた。このため、展示物を裏板の採光窓を介して裏側の光に透かすことにより、裏側からの光を利用した特殊な意匠的効果を発揮する展示物を収めることができる。
【００１５】
展示物は、自立できない程度に柔らかな素材、例えば、ガーゼ地のような光が透き通る薄い布地や粗い布地で作られていても、採光窓を設けた裏板により枠体に対して押圧されるので、採光窓部分の素材の弛みを防ぎ張りを持たせることができる。このため、本考案に係る額縁には、表側に表れる所期の意匠的効果を発揮し得る展示物を収めることができる。
【００１６】
裏板の採光窓は、採光窓を塞ぐ透明板又は半透明板を備えているので、展示物の全面が透明板又は半透明板により裏側から押さえつけられることにより、展示物の全表面の素地の弛みをなくすことができる。このため、本考案に係る額縁には、表側に表れる所期の意匠的効果を確実に発揮し得る展示物を収めることができる。
【００１７】
また、採光窓を塞ぐ板を透明にすることにより、展示物の所期の意匠的効果を妨げずに展示物をその裏側からの塵や汚れなどから保護することができる。また、採光窓を塞ぐ板を半透明にすることにより、透明板を介して発揮する所期の意匠的効果とは異なる意匠的効果を発揮するような展示物をその裏側からの塵や汚れなどから保護することができる。
【００１８】
なお、裏板の採光窓を塞ぐ透明板や半透明板を用いる代わりに、裏板自体を透明パネルや半透明パネルとしてもよい。これにより、裏側の光に透かされることにより表側に意匠的効果を発揮するような展示物用の額縁を部品点数を減少させて簡単化することができる。
【考案を実施するための最良の形態】
【００１９】
次に、本考案の額縁の最良の形態を図面に基づき説明する。図１は、本考案の額縁の第１の実施形態を正面上方向から見た斜視図、図２は背面図、図３は図２のＡ―Ａ線断面図を夫々示す。図４は、本考案の額縁の第２の実施形態の背面図、図５は図４のＢ―Ｂ線断面図を夫々示す。また、図６は、第２の実施形態の変形例の断面図を示す。なお、第１、第２の実施形態を通し、同様の構成部分には同一符合を付す。
【００２０】
図１及び〜図３に示す第１実施形態の額縁は、枠体１と裏板２とを備えている。枠体１は、図１中Ｘ―Ｘ線方向に延びる、対向して配置された一対の長い枠部分１１・１１と、同じく図１中Ｙ―Ｙ線方向に延びる、対向して配置された一対の短い枠部分１２・１２とからなり、中央部に展示窓３が形成される。
【００２１】
図２、図３に示すように、裏板２は、収められる展示物Ｄを枠体１との間に挟んで止め具５を用いて裏側から押えるような押え板を構成し、本実施形態では厚手のボール紙から形成されている。裏板の素材はこれに限定されず、例えば、木板から形成してもよい。裏板２の中央部に採光窓６が形成されている。採光窓６は、裏板２の中央部に限らず、収められる展示物Ｄの裏側からの光により意匠的効果を発揮する部分に対応する裏板の箇所に形成すればよい。従って、裏板２のほぼ全面に採光窓を設けることもあり得る。
【００２２】
図１、図２に示すように、本実施形態での展示物Ｄは、薄い布地ＤＡに花柄模様の図柄ＤＢが刺繍されている特殊な刺し子である。この刺し子Ｄは、裏側から採光窓６を介して自然の光や人工の光に当てると、図柄ＤＢが表面に特有の意匠的効果を発揮する。
【００２３】
図４、図５に示す第２実施形態の額縁は、収められる展示物Ｄと採光窓６を有する裏板２との間に、採光窓６を塞ぐように透明アクリル板７が設けられている。採光窓６を塞ぐ板は、透明アクリル板に限られず、他の透明プラスチック板や透明ガラス板など、展示物Ｄを採光窓６を介して裏側の光に透かすことができる透明板であればよい。また、透明板に代えて、半透明プラスチック板や半透明ガラス板などの半透明板でもよい。他の構成は前記の第１実施形態の額縁の構成と同様であるので、その説明は省略する。
【００２４】
図６に示すように、前記第２実施形態の額縁の変形例として、展示窓３に透明なガラス板４を配置してもよい。これにより、展示窓３は開口部がガラス板４により塞がれる。透明ガラス板４は、額縁の表板を構成する。表板４は、枠体１の裏側に収められる展示物Ｄを表側からの塵や汚れなどから保護するダストカバーの役目を果たし、透明ガラス板に限られず、透明プラスチック板など、展示窓３を塞ぐ透明板であればよい。
【図面の簡単な説明】
【００２５】
【図１】本考案の額縁の第１実施形態を示す斜視図。
【図２】第１実施形態の背面図。
【図３】図２のＡ―Ａ線断面図。
【図４】本考案の額縁の第２実施形態を示す背面図。
【図５】図４のＢ―Ｂ線断面図。
【図６】第２実施形態の変形例の断面図。
【図７】従来の表裏両面鑑賞用額縁の断面図。
【符号の説明】
【００２６】
１      …枠体
１１    …１の長い枠部分
１２    …１の短い枠部分
２      …裏板
３      …展示窓
４      …ガラス板
５      …止め具
６      …採光窓
７      …透明アクリル板
Ｄ      …展示物
【図１】
0003141931.tif 000003
【図２】
0003141931.tif 000004
【図３】
0003141931.tif 000005
【図４】
0003141931.tif 000006
【図５】
0003141931.tif 000007
【図６】
0003141931.tif 000008
【図７】
0003141931.tif 000009